(57)【要約】【課題】  比較的簡単な構成でシェーディング補正を行えるとともに、原稿搬送中に原稿のペーパエッジで発生する紙粉の蓄積を防止し、その紙粉に起因する縦スジの発生等による画質の低下を効果的に防止できる画像読取装置を提供すること。【解決手段】  複写機１は、原稿トレイ２０１から供給されて第２プラテンガラス３０３上で所定速度にて移動する原稿Ｐを、この第２プラテンガラス３０３の下方に位置する原稿読取部３０３で読み取るようになっており、第２プラテンガラス３０３の上方に回転自在に支持され、原稿トレイ２０１から供給される原稿Ｐを第２プラテンガラス３０３上に案内する円筒状でかつ白色のガイド部材２５１を備え、このガイド部材２５１の外周面に複数の孔を形成して各孔２５１ａ，２５１ｂから空気を吸引するように構成されている。【選択図】  図２
2006270707.tif 000002
【特許請求の範囲】
【請求項１】
原稿積載テーブルから供給されてコンタクトガラス上で所定速度にて移動する原稿を、このコンタクトガラスの下方に位置する原稿読取手段で読み取る画像読取装置であって、
コンタクトガラスの上方に回転自在に支持され、原稿積載テーブルから供給される原稿を前記コンタクトガラス上に案内する円筒状でかつ白色のガイド部材を備え、このガイド部材の外周面に複数の孔を形成して各孔から空気を吸引するように構成したことを特徴とする画像読取装置。
【請求項２】
各孔は、ガイド部材の軸方向に沿って複数個形成されるとともに、円周方向に沿って複数列形成され、かつ、隣り合う列間では円周方向において吸引エリアが互いに補間関係をなすように形成されていることを特徴とする請求項１記載の画像読取装置。
【請求項３】
原稿読取のジョブ実行前又は実行後にガイド部材を回転させつつ各孔からの空気吸引を行う第１パターンと、原稿読取のジョブ実行中にガイド部材を回転させつつ各孔から空気吸引を行う第２パターンとを有し、両パターンのうちの少なくとも一方を選択可能としたことを特徴とする請求項１又は２記載の画像読取装置。
【請求項４】
ガイド部材は、軸方向の全域に亘って連続する無孔部分を有し、この無孔部分の位置を検出する位置検出手段と、検出された無孔部分の位置がコンタクトガラスを介して画像読取手段に対向する位置となるようにガイド部材を回転停止させる回転制御手段とを備えたことを特徴とする請求項１〜３のいずれか１項に記載の画像読取装置。
【発明の詳細な説明】
【技術分野】
【０００１】
本発明は、原稿積載テーブルから供給されてコンタクトガラス上で所定速度にて移動する原稿を、このコンタクトガラスの下方に位置する画像読取手段で読み取る画像読取装置に関し、特に複写機、ＦＡＸ、複合機等の画像形成装置の画像読取装置に好適である。
【背景技術】
【０００２】
自動原稿搬送装置（ＡＤＦ；Auto Document Feeder）から供給されてコンタクトガラス上で所定速度にて移動する原稿を、第２プラテンガラス（コンタクトガラス）３０３の下方に位置する画像読取部のスキャナで読み取る、いわゆるシートスルー方式の画像読取装置が知られている。
【０００３】
このような画像読取装置では、ＡＤＦで自動的に第２プラテンガラス３０３上に搬送されてくる原稿Ｐは、第２プラテンガラス３０３との接触により、その先端の左右両端（ペーパエッジ）が欠落して紙粉Ｔ１，Ｔ２を発生する。しかも、この原稿Ｐが連続して搬送される場合には、その左右両端に沿うように紙粉Ｔ１，Ｔ２が第２プラテンガラス３０３上に蓄積することとなる（図６参照）。そして、次のジョブ等にてより大きいサイズの原稿Ｐが搬送される場合には、原稿幅内に前記蓄積された紙粉Ｔ１，Ｔ２があるので、その紙粉Ｔ１，Ｔ２を文字等の画像として読み取る結果、縦スジの発生等による画質の低下が懸念される。また、第２プラテンガラス３０３上に埃や塵による汚れがある場合も同様の結果となる。そのためにエアーを吹き付けてコンタクトガラスを自動的に清掃する技術が開発されている（例えば、特許文献１参照）。
【０００４】
また、原稿読取部のスキャナを構成するＣＣＤセンサの画素ごとの感度のばらつきや、露光ランプの照明むらに起因する画質低下を防止するために、いわゆるシェーディング補正を行うことがあり、そのためにコンタクトガラス上の原稿読取位置に白色の清掃ローラを設置しているものがある（例えば、特許文献２参照）。
【特許文献１】特開２０００−１５１９１３号公報
【特許文献２】特開２００２−６４６８７号公報
【発明の開示】
【発明が解決しようとする課題】
【０００５】
しかし、従来技術のように、エアーの吹き付けを行ったのでは、紙粉が飛散する。また、清掃ローラを用いて自動的に清掃する場合には、同ローラから清掃部材を出没させるため、装置が大掛かりとなってコストアップを招くといった問題もある。
【０００６】
本発明は上記事情に鑑みてなされたもので、比較的簡単な構成でシェーディング補正を行えるとともに、原稿搬送中に原稿のペーパエッジで発生する紙粉等の蓄積を防止し、その紙粉等に起因する縦スジの発生による画質の低下を効果的に防止できる画像読取装置を提供することを目的とする。
【課題を解決するための手段】
【０００７】
本発明は、原稿積載テーブルから供給されてコンタクトガラス上で所定速度にて移動する原稿を、このコンタクトガラスの下方に位置する原稿読取手段で読み取る画像読取装置であって、コンタクトガラスの上方に回転自在に支持され、原稿積載テーブルから供給される原稿を前記コンタクトガラス上に案内する円筒状でかつ白色のガイド部材を備え、このガイド部材の外周面に複数の孔を形成して各孔から空気を吸引するように構成したことを特徴とするものである。
【０００８】
請求項２記載の発明のように、各孔は、ガイド部材の軸方向に沿って複数個形成されるとともに、円周方向に沿って複数列形成され、かつ、隣り合う列間では円周方向において吸引エリアが互いに補間関係をなすように形成されていることが好ましい。
【０００９】
請求項３記載の発明のように、原稿読取のジョブ実行前又は実行後にガイド部材を回転させつつ各孔からの空気吸引を行う第１パターンと、原稿読取のジョブ実行中にガイド部材を回転させつつ各孔から空気吸引を行う第２パターンとを有し、両パターンのうちの少なくとも一方を選択可能とすることが好ましい。
【００１０】
請求項４記載の発明のように、ガイド部材は、軸方向の全域に亘って連続する無孔部分を有し、この無孔部分の位置を検出する位置検出手段と、検出された無孔部分の位置がコンタクトガラスを介して画像読取手段に対向する位置となるようにガイド部材を回転停止させる回転制御手段とを備えることが好ましい。
【発明の効果】
【００１１】
本発明によれば、コンタクトガラスの上方に回転自在に支持され、原稿積載テーブルから供給される原稿を前記コンタクトガラス上に案内する円筒状でかつ白色のガイド部材が備えられ、このガイド部材の外周面に複数の孔を形成して各孔から空気を吸引するように構成されているので、ＡＤＦで自動的にコンタクトガラス上に搬送されてくる原稿が、コンタクトガラスとの接触により、その先端の左右両端が欠落して紙粉を発生し、或いは、コンタクトガラス上に埃や塵による汚れが生じたとしても、その紙粉等はガイド部材の各孔から空気とともに吸引されてコンタクトガラス上から除去されることとなる。したがって、コンタクトガラス上に紙粉等が蓄積することが防止されるようになり、その紙粉等を文字等の画像として読み取ることがなくなる結果、縦スジの発生等による画質の低下が防止されるようになる。しかも、従来技術のエアーの吹き付けを行う場合のように紙粉が飛散するといった問題がなく、また清掃ローラを用いて自動的に清掃する場合のように装置が大掛かりとなってコストアップを招くといった問題もなく、原稿読取部のシェーディング補正を行うことができるようになる。
【００１２】
請求項２記載の発明によれば、各孔は、ガイド部材の軸方向に沿って複数個形成されるとともに、円周方向に沿って複数列形成され、かつ、隣り合う列間では円周方向において吸引エリアが互いに補間関係をなすように形成されているので、ガイド部材の回転により軸方向の全域に亘り各孔による吸引エリアが実質的に連続するようになり、コンタクトガラス上の紙粉を確実に除去することができるようになる。
【００１３】
請求項３記載の発明によれば、原稿読取のジョブ実行前又は実行後にガイド部材を回転させつつ各孔からの空気吸引を行う第１パターンと、原稿読取のジョブ実行中にガイド部材を回転させつつ各孔から空気吸引を行う第２パターンとを有し、両パターンのうちの少なくとも一方を選択可能とされるので、第１パターンが選択されると、原稿読取のジョブ実行中には、その原稿の陰になって、除去しにくい紙粉をも吸引できるようになり、その清掃効果が向上する。一方、第２パターンが選択されると、原稿搬送ルートからコンタクトガラス上に案内された原稿はガイド部材の吸引力によって、回転するガイド部材の外周面に張り付いたようになることから、原稿と画像読取手段との距離が一定に保持されるようになり、その結果安定した原稿の読取が行われるようになる。
【００１４】
請求項４記載の発明のように、ガイド部材は、軸方向の全域に亘って連続する無孔部分を有し、この無孔部分が検出され、検出された無孔部分がコンタクトガラスを介して画像読取手段に対向する位置で回転停止されるので、ガイド部材の白色部分でシェーディング補正を確実に行うことができるようになる。
【発明を実施するための最良の形態】
【００１５】
図１は、本発明の一実施形態に係る複写機の断面図、図２は、図１に示す原稿給送部２００の部分拡大図である。図１，２に示すように、この複写機１は、画像形成部１００、画像形成部１００を備える本体部１０の上方に設置された原稿給送部（ＡＤＦ）２００、本体部１０の上部に設置された原稿読取手段としての原稿読取部３００、本体部１０の下部に設置された給紙部４００、本体部１０のフロント部に設置された操作表示部５００を備えている。
【００１６】
原稿読取部３００は、原稿の読み取りを行って当該原稿に対応する画像データを生成するものである。原稿読取部３００は、光学的に取得した原稿の画像から画像データを生成するＣＣＤ（Charge Coupled Device）センサ、露光ランプ、レンズ等を備えたスキャナ３０１などからなり、その上面に、装置原稿読み取り用の第１プラテンガラス３０２と、ＡＤＦ原稿読み取り用の第２プラテンガラス（コンタクトガラス）３０３とを備えている。原稿読取部３００は、第１プラテンガラス３０２上に載置された原稿、あるいは原稿給送部２００によって第２プラテンガラス３０３に接するようにして搬送（移動）される原稿を走査しつつ取得した画像データを後述する制御部２０へ出力する。
【００１７】
また、原稿読取部３００のスキャナ３０１を構成するＣＣＤセンサは、その画素ごとの感度のばらつきを定期的に補正する必要があり、また露光ランプについても、照明むらを定期的に補正する必要があるので、後述するシェーディング補正を行うようになっている。
【００１８】
原稿給送部２００は、自動的に原稿読取部３００（第２プラテンガラス３０３の原稿読み取り位置）へ原稿Ｐを給送するとともに当該原稿読取部３００によって読み取られた原稿Ｐを原稿給送部２００の排出部へ排出するものである。このため、原稿給送部２００は、原稿Ｐを載置する原稿トレイ（原稿載置テーブル）２０１、原稿トレイ２０１から原稿Ｐを搬入させる搬入ローラ２０２、搬送経路２０３、搬入ローラ２０２により搬入されてきた原稿Ｐを第２プラテンガラス３０３に案内する搬送ローラ２０４，２０５及びガイド機構２５０、ガイド機構２５０で第２プラテンガラス３０３上に案内されて、原稿読取部３００によって読み取られた原稿Ｐを排出させる排出ローラ２０６、及び排出ローラ２０６により排出された原稿Ｐを載置（積載）する原稿排出トレイ２０７等を備えて構成されている。これらのうち、搬入ローラ２０２、搬送経路２０３、搬送ローラ２０４，２０５、ガイド機構２５０及び排出ローラ２０６は、第２プラテンガラス３０３を覆うように形成された筐体２００ａ内に装備されている。これにより、原稿給送部２００は、コピー開始の指示入力等に応じて、原稿トレイ２０１に載置された原稿Ｐを自動的に１枚ずつ第２プラテンガラス３０３に接触させつつ搬送し、この位置での原稿の露光走査（読み取り）後に原稿排出トレイ２０７上へ排出させるいわゆるシートスルー方式の原稿読み取りを実現するようになっている。
【００１９】
また、原稿給送部２００は、例えば装置の背面側を回動支軸として本体部１０（原稿読取部３００）の上面に対して可倒式に構成されており、第１プラテンガラス３０２（第２プラテンガラス３０３）の上面を開放するように上方かつ後方側に開くように持ち上げることにより、第１プラテンガラス３０２の上面に、例えば見開き状態にされた書籍等の読み取り用原稿を載置することが可能に構成されている。
【００２０】
給紙部４００は、画像形成部１００に対して用紙の給紙を行うものである。給紙部４００は、各サイズの用紙（記録紙）が収納される給紙カセット４０１，４０２、及び本体部１０の一側方部に開閉自在に構成された手差しトレイ４０３１等からなる手差し給紙部４０３を備えている。また、給紙部４００は、給紙カセット４０１，４０２から画像形成部１００へ用紙を搬送する搬送経路４０４、手差し給紙部４０３から画像形成部１００へ用紙を搬送する搬送経路４０５を備えている。各給紙カセット４０１，４０２及び手差し給紙部４０３は、収納されている用紙を取り出すためのピックアップローラ４０６，４０７，４０８、用紙を１枚ずつ各搬送経路に送り出す給紙ローラ４０９，４１０，４１１を備えている。搬送経路４０４には、用紙を搬送する搬送ローラ４１２，４１３、及び搬送されてくる用紙を画像形成部１００の手前で待機させるためのレジストローラ４１４が設けられている。なお、搬送経路４０５は、レジストローラ４１４の上流側で搬送経路４０４と合流している。
【００２１】
画像形成部１００は、給紙部４００によって搬送されてきた用紙に対して所定の画像を形成する（印刷する）ものである。画像形成部１００は、同図中に示す矢印方向に回転可能に支持された感光体ドラム１０１、この感光体ドラム１０１の周囲に配設された帯電部１０２、現像部１０３、クリーニング部１０４、レーザ走査ユニット１０５及び転写ローラ１０６、転写ローラ１０６の下流側に配設された定着ローラ１０７を備えている。
【００２２】
帯電部１０２は、感光体ドラム１０１の表面を所定電位に均一に帯電させるものである。レーザ走査ユニット１０５は、後述する画像記憶部３０等から送信されてきた画像データに基づき、レーザービームを感光体ドラム１０１の表面に照射し、感光体ドラム１０１表面に静電潜像を形成するものである。現像部１０３は、静電潜像にトナーを付着させて画像を顕在化させるものである。転写ローラ１０６は、搬送されてきた用紙を感光体ドラム１０１に押し付けた状態で、感光体ドラム１０１上に顕在化したトナー像を当該用紙に転写するものである。定着ローラ１０７は、用紙に転写されたトナー像を定着させるものである。定着ローラ１０７は、図略のヒートローラ及び圧ローラからなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００２３】
本体部１０の上部及び側面部には、用紙排出トレイ１０８，１０９が設けられており、定着ローラ１０７から搬送されてきた用紙は、それぞれ排出ローラ１１０，１１１によって用紙排出トレイ１０８，１０９へ排出される。なお、用紙の搬送方向は、排出分岐ガイド１１２によって、排出ローラ１１０側と排出ローラ１１１側とに切替可能に構成されている。
【００２４】
操作表示部５００は、ユーザの操作に応じて所定の指示入力を行うものである。操作表示部５００は、ユーザが印刷実行指示を入力するためのスタートキー５０１と、印刷部数等を入力するためのテンキー５０２と、各種複写動作の設定等を入力するための操作ガイド情報等を表示すると共に、種々の操作ボタン等が表示される液晶表示器（ＬＣＤ）等からなる表示器５０３とを備えている。
【００２５】
以下、本発明の特徴をなす原稿給送部２００のガイド機構２５０について詳述する。図３は、原稿給送部２００のガイド機構２５０を示す平面図である。図３に示すように、原稿給送部２００のガイド機構２５０は、第２プラテンガラス３０３の上方に前記筐体２００ａの側面（不図示）から回転自在に支持され、原稿トレイ２０１から搬送経路２０３を介して供給される原稿Ｐを第２プラテンガラス３０３に案内する円筒状でかつ白色のガイド部材２５１と、ガイド部材２５１の一端側（図３中の上側）にフィルタ２５４を介して取り付けられた吸引ファン２５２と、ギヤ列２５６〜２６１を介してガイド部材２５１を回転駆動するモータ２５５とを備えている。ギヤ列２５６〜２６１は、モータ２５５の駆動軸に取り付けられた第１ギヤ２５６と、搬送ローラ２０５の駆動軸に取り付けられた第２ギヤ２５７と、中間ギヤである第３ギヤ２５８と、ガイド部材２５１の前記一端側の縮径部分に取り付けられた第４ギヤ２５９と、中間ギヤである第５ギヤ２６０と、排出ローラ２０６の駆動軸に取り付けられた第６ギヤ２６１とからなり、モータ２５５の回転駆動により、ギヤ列２５６〜２６１を介して、搬送ローラ２０５、ガイド部材２５１及び排出ローラ２０６が同一方向に連れ回りするようになっている。ガイド部材２５１の適所には、その回転角度を検出するためのマーキング等が付されており、このマーキング等を読み取るためのセンサ２６２が付設されている。
【００２６】
図４は、ガイド部材２５１の概略構成を示す図であって、（ａ）は斜視図、（ｂ）は（ａ）におけるａ−ａ断面図、（ｃ）は（ａ）におけるｂ−ｂ断面図である。図４（ａ）（ｂ）（ｃ）に示すように、ガイド部材２５１は、第２プラテンガラス３０３の長手方向に沿って延びており、そのガイド部材２５１の周面には複数個の長孔２５１ａ，２５１ｂが形成されている。各孔２５１ａ，２５１ｂは、ガイド部材２５１の軸方向に沿って複数個形成されるとともに、円周方向に沿って複数列（例えば円周方向に９０度ずつ、ずらした４列）に形成され、かつ、隣り合う列間では円周方向において吸引エリアが互いに補間関係をなすように形成されている。このようにして、各孔２５１ａ，２５２ｂによる吸引エリアが軸方向の全域に亘り実質的に連続するように形成されたガイド部材２５１を回転させると、第２プラテンガラス３０３上の紙粉を残さずに吸引できることとなる。
【００２７】
原稿トレイ２０１には、該原稿トレイ２０１の幅方向の案内溝（不図示）が設けられており、この案内溝に案内されて原稿Ｐの幅方向の位置合わせを行う仕切板２７０がスライド可能に立設されている。これにより、原稿Ｐはその幅方向については仕切板２７０に規制された状態で搬入ローラ２０２、搬送経路２０３等に給送されるようになっている。
【００２８】
図５は、複写機１の機能ブロック図である。図５に示すように、この複写機１は、装置全体の動作を制御する制御部（制御手段）２０を備えている。制御部２０は、複写機１の制御プログラムを記憶するＲＯＭ（Read Only Memory）、一時的にデータを保管するＲＡＭ（Random Access Memory）、及び上記制御プログラム等をＲＯＭから読み出して実行するＣＰＵ（Central Processing Unit）等からなり、操作表示部５００等において入力された所定の指示情報や、本装置の適所に設けられた各種センサからの検出信号に応じて装置全体の制御を行うものである。この制御部２０には、上記画像形成部１００、原稿給送部２００、原稿読取部３００、給紙部４００及び操作表示部５００、並びに画像記憶部３０及び画像処理部４０などが電気的に接続されている。
【００２９】
画像記憶部３０は、原稿読取部３００によって読み取られた原稿の画像データや図略のＩ／Ｆ部等を介して外部装置から送信されてきた画像データを一時的に記憶するメモリである。画像処理部４０は、上記画像データに対する各種画像処理、例えばガンマ処理や拡大縮小処理を行うものである。画像処理部４０では、例えば原稿読取部３００による読み取りによって得られた原稿画像に対する画像データのＡ／Ｄ変換が行われ、当該Ａ／Ｄ変換された画像データを用いて上記各種画像処理が行われる。
【００３０】
制御部２０は、原稿読取のジョブ実行前又は実行後にガイド部材２５１を回転させつつ各孔２５１ａ，２５１ｂからの空気吸引を行う第１パターンと、原稿読取のジョブ実行中にガイド部材２５１を回転させつつ各孔２５１ａ，２５１ｂから空気吸引を行う第２パターンとを前記ＲＯＭに記憶している。
【００３１】
そして、例えば電源が投入されると、自動的に第１パターンが選択されるようになっている。すると、所定時間だけモータ２５５が回転してガイド部材２５１を回転させるとともに、吸引ファン２５２も同時に回転して、ガイド部材２５１の内側を負圧にし、各孔２５１ａ，２５１ｂから空気を第２プラテンガラス３０３上の紙粉等とともに吸引して、フィルタ２５４を介して外部に排出するようになっている。その結果、紙粉等はフィルタ２５４に補足されて空気だけが外部に排出されることとなる。各孔２５１ａ，２５１ｂのうち、第２プラテンガラス３０３上に対向しないものからは空気が吸引されるものの、原稿Ｐは搬送経路２０３内にあり、その吸引力が及ばないようになっている。所定時間が経過すると、第１パターンは終了して、モータ２５５と吸引ファン２５２とは自動停止する。
【００３２】
その後、原稿トレイ２０１上に原稿Ｐがセットされて、ユーザにより操作表示部５００のスタートキー５０１が押圧されると、自動的に第２パターンが選択されるようになっている。この第２パターンに切り替わると、モータ２５５が回転して原稿読取のジョブが実行されるようになるが、この原稿読取のジョブ実行中に吸引ファン２５２も回転して、ガイド部材２５１の内側を負圧にし、各孔２５１ａ，２５１ｂから空気を第２プラテンガラス３０３上の原稿Ｐとともに吸引して、フィルタ２５４を介して外部に排出するようになっている。その結果、前記搬送経路２０３から第２プラテンガラス３０３上に案内された原稿Ｐはガイド部材２５１の吸引力によって、回転するガイド部材２５１の外周面に張り付いたようになることから、原稿Ｐと画像読取部３００のスキャナ３０１との距離が一定に保持されるようになり、その結果安定した原稿Ｐの読取が行われるようになる。
【００３３】
また、ガイド部材２５１は、上述したような各孔２５１ａ，２５１ｂが形成されているが、軸方向の全域に亘って連続する無孔の白色部分（無孔部分）を有しており、センサ２６２による前記マーキング等の検知により、この白色部分が第２プラテンガラス３０３を介して画像読取部３００に対向する位置（ホームポジション）になった時点で、前記モータ２５５を停止するようになっている。そして、ガイド部材２５１の白色部分に原稿読取部３００のスキャナ３０１の露光ランプから光が照射され、その反射光がレンズでＣＣＤセンサに集光されると、この集光光による画像データがシェーディングデータとして一旦制御部２０のＲＡＭに格納された後、ＣＰＵによってその逆数からなるシェーディング補正データが算出され、このシェーディング補正データを再びＲＡＭに格納しておくようになっている。このＲＡＭに格納されたシェーディング補正データを用いて、その後の原稿Ｐの読み取りによる画像データを補正することにより、ＣＣＤセンサの画素ごとの感度のばらつきや露光ランプの照明むらに起因する画質の低下をなくすことができる。
【００３４】
以下、複写機１の動作について、図１〜６を適宜参照しつつ説明する。図２に示すように、原稿Ｐの幅方向の位置は原稿トレイ２０１上で仕切板２７０に規制されている。そして、初期状態ではガイド部材２５１は前記ホームポジションにあるものとする。
【００３５】
ここで、電源が投入されると、自動的に第１パターンが選択される。すると、制御部２０は回転指令をモータ２５５と吸引ファン２５２とに出力し、この回転指令を受けてモータ２５５と吸引ファン２５２とが回転する。このモータ２５５の回転によりガイド部材２５１が回転するとともに、吸引ファン２５２の回転により、ガイド部材２５１の内側が負圧になり、各孔２５１ａ，２５１ｂから空気が第２プラテンガラス３０３上の紙粉等とともに吸引されて、フィルタ２５４を介して外部に排出される。その結果、紙粉等はフィルタ２５４に補足されて空気だけが外部に排出される。所定時間が経過すると、第１パターンは終了して、制御部２０は停止指令をモータ２５５と吸引ファン２５２とに出力し、この停止指令を受けてモータ２５５と吸引ファン２５２とは停止する。このように、モータ２５５を吸引ファン２５２とともに、電源投入時に回転させることで、原稿読取のジョブ実行中には原稿Ｐの陰になって、除去しにくい紙粉をも吸引できてその清掃効果が向上する。
【００３６】
その後、原稿トレイ２０１上に原稿Ｐがセットされて、ユーザにより操作表示部５００のスタートキー５０１が押圧されると、自動的に第２パターンが選択される。すると、制御部２０は回転指令をモータ２５５と吸引ファン２５２とに出力し、この回転指令を受けてモータ２５５と吸引ファン２５２とが回転する。そして、モータ２５５の回転により搬入ローラ２０２で搬送経路２０３内に原稿Ｐを搬入し、搬送ローラ２０４，２０５及びガイド部材２５１で案内されて第２プラテンガラス３０３上に到達する。このときにも、吸引ファン２５２の回転により、ガイド部材２５１の内側が負圧になり、各孔２５１ａ，２５１ｂから空気を第２プラテンガラス３０３上の原稿Ｐとともに吸引して、フィルタ２５４を介して外部に排出する。その結果、上述したように、前記搬送経路２０３から第２プラテンガラス３０３上に案内された原稿Ｐはガイド部材２５１の吸引力によって、回転するガイド部材２５１の外周面に張り付いたようになる。この状態では、原稿Ｐと画像読取部３００のスキャナ３０１との距離が一定に保持されるようになり、その結果安定した原稿Ｐの読取が行われる。そして、この原稿Ｐの読取終了に伴い、第２パターンが終了する。
【００３７】
その際、ガイド部材２５１の前記マーキング等がセンサ２６２で検出されるので、制御部２０はこの検出信号に基づく停止指令をモータ２５５に出力し、この停止指令を受けてモータ２５５が停止することにより、ガイド部材２５１はその白色部分が原稿読取部３００のスキャナ３０１に向かう前記ホームポジションに停止される。これと同時に、制御部２０は停止指令をファン２５２にも出力し、この停止指令を受けて吸引ファン２５２も停止する。
【００３８】
すると、原稿読取部３００のスキャナ３０１のシェーディング補正を行えるようになる。この場合には、ガイド部材２５１の白色部分に第２プラテンガラス３０３を介して原稿読取部３００のスキャナ３０１の露光ランプからの光が照射され、ガイド部材２５１の白色部分で反射された光が、再び第２プラテンガラス３０３を介してレンズでＣＣＤセンサに集光されることにより、前記シェーディング補正データが得られ、このシェーディング補正データを用いて後の原稿Ｐから読み取られた画像データが補正されることとなる。
【００３９】
以上のように、この複写機１によれば、第２プラテンガラス３０３の上方に回転自在に支持された円筒状でかつ白色のガイド部材２５１の外周面に形成された複数の孔２５１ａ，２５１ｂから空気が吸引されるので、ＡＤＦで自動的に第２プラテンガラス３０３上に搬送されてくる原稿Ｐは、第２プラテンガラス３０３との接触により、その先端の左右両端が欠落して紙粉を発生し、或いは、第２プラテンガラス３０３上に埃や塵による汚れが生じたとしても、その紙粉等がガイド部材２５１の各孔２５１ａ，２５１ｂから空気とともに吸引され、第２プラテンガラス３０３上から除去されることとなる。したがって、第２プラテンガラス３０３上に紙粉等が蓄積することが防止されるようになり、その紙粉等を文字等の画像として読み取ることがなくなる結果、縦スジの発生等による画質の低下が防止される。しかも、従来技術のエアーの吹き付けによる場合のように紙粉が飛散するといった問題がなく、清掃ローラを用いて自動的に清掃する場合のように装置が大掛かりとなってコストアップを招くといった問題もなく、原稿読取部のシェーディング補正を行うことができる。さらに、搬送経路２０３から第２プラテンガラス３０３上に案内された原稿Ｐはガイド部材２５１の吸引力によって、ガイド部材２５１の外周面に張り付いたようになることから、画像読取部３０１との距離が一定に保持されるようになり、その結果安定した読取が行われるようになる。
【００４０】
なお、上記実施形態では、ガイド部材２５１の各孔２５１ａ，２５１ｂの形状として長孔を採用しているが、その他の孔形状、例えば楕円形状や矩形形状を採用してもよい。
【００４１】
また、上記実施形態では、センサ２６２でガイド部材２５１のマーキング等を読み取ってモータ２５５を回転制御するように構成しているが、モータ２５５の回転角度をエンコーダ等で直接読み取ってフィードバック制御するようにしてもよい。
【００４２】
また、上記実施形態では、モータ２５５を吸引ファン２５２とともに、原稿読取のジョブの実行前である電源投入時に回転させるように構成しているが、原稿セット時等に回転させることとしてもよいし、或いは、モータ２５５を吸引ファン２５２とともに、原稿読取のジョブの実行後に回転させることとしてもよい。
【００４３】
例えば原稿セット時に回転させる場合には、原稿トレイ２０１に設けた図示しないセンサで原稿Ｐのセット時を検知し、この検知信号を受けて制御部２０が、モータ２５５と吸引ファン２５２とを回転させるように構成する。この場合には、ガイド部材２５１が搬送ローラ２０５等と連れまわりしないように、ギヤ列２５６〜２６１の適所にクラッチ機構等を介装させることが好ましい。
【００４４】
また、上記実施形態では、第２パターンの終了後に原稿読取部３００のスキャナ３０１のシェーディング補正を行っているが、第１パターンが選択される前の初期状態でも、ガイド部材２５１はホームポジションにあるので、この状態でシェーディング補正を行うこともできる。
【００４５】
また、上記実施形態では、第１パターンが自動的に選択され、かつ第２パターンも自動的に選択されるようになっているが、本発明はこれに限らず、その少なくとも一方のパターンを選択できる。例えば第２プラテンガラス３０３上の汚れを取りたいときには、ユーザが任意に第１パターンだけを選択することができる。
【００４６】
また、上記実施形態では、複写機１の原稿給送装置を例示しているが、本発明の適用範囲はこれに限定されるものではなく、ＦＡＸ等その他の画像形成装置の原稿給送装置等についても同様に適用することができる。
【図面の簡単な説明】
【００４７】
【図１】本発明の一実施形態に係る複写機の断面図である。
【図２】図１に示す原稿給送部の部分拡大図である。
【図３】原稿給送部のガイド機構を示す平面図である。
【図４】ガイド部材の概略構成を示す図であって、（ａ）は斜視図、（ｂ）は（ａ）におけるａ−ａ断面図、（ｃ）は（ａ）におけるｂ−ｂ断面図である。
【図５】複写機の機能ブロック図である。
【図６】複写機の動作例を示す図である。
【符号の説明】
【００４８】
１  複写機
２０  制御部（回転制御手段）
１００  画像形成部
１０５  レーザ走査ユニット
２００  原稿給送部
２０１  原稿トレイ（原稿積載テーブル）
２０２  搬入ローラ
２０３  搬送経路
２０４  搬送ローラ
２０５  搬送ローラ
２０６  排出ローラ
２０７  原稿排出トレイ
２５０  ガイド機構
２５１  ガイド部材
２５２  吸引ファン
２５４  フィルタ
２５５  モータ
２５６〜２６１  ギヤ列
２６２  センサ（位置検出手段）
３００  原稿読取部（原稿読取手段）
３０３  第２プラテンガラス（コンタクトガラス）
【図１】
2006270707.tif 000003
【図２】
2006270707.tif 000004
【図３】
2006270707.tif 000005
【図４】
2006270707.tif 000006
【図５】
2006270707.tif 000007
【図６】
2006270707.tif 000008